(57)【要約】【課題】  風力発電機により発電した電力を系統電源側に供給する。【解決手段】  風力発電部１０により電力が発電され、発電された電力（直流電圧）の電力値に応じて位相制御信号生成部１６により位相制御信号Ｓ３を生成し、また、系統電源側の交流電圧Ｅ１と周波数Ｆ１に基づき同期合わせ部１５により同期制御信号Ｓ２を生成し、位相制御信号Ｓ３と同期制御信号Ｓ２に基づいて風力発電部１０から供給される電力を所定の交流電圧Ｅ２に変換し、変換した交流電圧Ｅ２を接続部１３を介して系統電源に供給する。【選択図】  図１
2006246661.tif 000002
【特許請求の範囲】
【請求項１】
風車の回転により得られる動力で電力を発電する風力発電手段と、
上記風力発電手段で発電された電力を交流電圧に変換する電圧変換手段と、
上記電圧変換手段を系統電源側に接続する接続手段と、
上記風力発電手段で発電された電力が第１の任意値以上のときに、第１の信号を生成し、生成した上記第１の信号を上記電圧変換手段に供給する信号供給手段と、
上記系統電源により生じている交流電圧と、当該交流電圧に起因する周波数を検出し、検出した上記交流電圧と上記周波数に、上記電圧変換手段により変換される交流電圧と、当該交流電圧に起因する周波数を同期させるための同期制御信号を生成し、生成した上記同期制御信号を上記電圧変換手段に供給する同期手段と、
上記風力発電手段で発電された電力に基づいて、位相を制御する位相制御信号を生成する位相制御信号生成手段と、
上記電圧変換手段により変換された交流電圧に基づき、上記接続手段を接続状態又は非接続状態に制御する接続制御手段とを備え、
上記信号供給手段は、上記位相制御信号生成手段により生成された位相信号に基づいて、生成した第１の信号を変調し、変調後の第１の信号を上記電圧変換手段に供給し、
上記電圧変換手段は、上記信号供給手段から供給された第１の信号に基づいて、上記風力発電手段で発電された電力を交流電圧に変換することを特徴とする風力発電装置。
【請求項２】
上記風力発電手段で発電された電力が第２の任意値に達しているかどうかを判断する判断手段と、
上記判断手段により上記風力発電手段で発電された電力が上記第２の任意値に達していると判断した場合に、上記風力発電手段で発電された電力を接地する接地手段を備えることを特徴とする請求項１記載の風力発電装置。
【請求項３】
上記信号供給手段は、上記位相制御信号生成手段で生成された位相制御信号に基づいてパルス幅が変調されるパルス幅変調信号を上記第１の信号として生成することを特徴とする請求項１記載の風力発電装置。
【請求項４】
上記接続手段は、上記接続制御手段により接続状態又は非接続状態に制御されるスイッチ部と、上記スイッチ部が接続状態のときに、上記電圧変換手段により変換された交流電圧を系統電源側に供給するためのプラグ部により構成されていることを特徴とする請求項１記載の風力発電装置。
【請求項５】
上記系統電源により生じている交流電圧の異常を感知する感知手段を備え、
上記感知手段は、上記交流電圧の異常を感知した場合、上記接続手段を非接続状態に制御することを特徴とする請求項１記載の風力発電装置。
【発明の詳細な説明】
【技術分野】
【０００１】
本発明は、風車により発電された電力を系統電源に供給する風力発電装置に関する。
【背景技術】
【０００２】
風力発電装置は、風のよく吹く地点に風車を設置して、その回転力で発電機を回して発電する装置である。この風力発電装置は、環境対策として非常に優れた発電装置であるため、今日までに急速に発展・増加するとともに、技術の進歩・改良がおこなわれている。
【０００３】
ここで、従来の風力発電装置について説明する。風力発電装置５０は、図６に示すように、風の流れを利用して風車を回し、その動力で電力を発電する風力発電機５１と、風力発電機５１から供給される電力を監視する監視装置５２と、監視装置５２を介して風力発電機５１から供給される電力を蓄える蓄電池５３と、蓄電池５３が過充電とならないように制御するチャージコントローラ５４と、直流電圧を交流電圧に変換するインバータ５５とを備える。
【０００４】
監視装置５２は、風力発電機５１から供給される電力の発電量を監視するための電流計と、風力発電機５１に電磁ブレーキをかけるためのブレーキスイッチを備えている。監視装置５２は、風力発電機５１から供給される電力を短絡させることにより、電磁ブレーキをかけることができる。これは、風力発電機５１に理論上、無限大の付加をかけることに相当する。
【０００５】
蓄電池５３は、風力発電機５１の定格出力ワット数に合わせて、容量が決定される。例えば、風力発電機５１の定格出力が１００Ｗの場合には、１００Ａｈ程度の蓄電池５３が用いられる。
【０００６】
チャージコントローラ５４は、ダミーロード等の投げ捨て用の負荷５６を備えている。チャージコントローラ５４は、蓄電池５３に蓄えられる充電電圧を制御するために、風力発電機５１と蓄電池５３の間の接続が切断（開放）されない設計になっている。風力発電機５１と蓄電池５３とが切断されてしまうと、風力発電機５１が無負荷状態（フリースピン）となり、過回転によって風力発電機５１自体を破損してしまうからである。したがって、風力発電機５１は、常に有負荷状態に保ち続ける必要がある。そこで、チャージコントローラ５４は、過剰な電力が生じた場合には、ダミーロードによって投げ捨てる構造となっている。
【０００７】
また、蓄電池５３は、直流電源なので負荷として交流機器を使用する場合には、インバータ５５によって直流電源を交流電源に変換する。なお、負荷として直流機器を使用する場合には、インバータ５５は不要である。
【０００８】
【非特許文献１】http://www.northpower.co.jp/
【発明の開示】
【発明が解決しようとする課題】
【０００９】
ところで、上述した風力発電装置５０は、発電所から送られてくる電気（系統電源）とは接続しない構成であり、蓄電池５３による独立型の電力供給である。したがって、負荷の設備容量、種類、使用方法（時間）等と風車の出力容量のバランスをとる必要がある。また、部品点数も多いため、装置が大型化し、高価なものとなり、また、蓄電池５３の交換も発生する。
【００１０】
また、風力発電機５１を複数台設置し、並列接続する場合には、負荷容量、蓄電池５３の容量等のバランスを検討する必要がある。
【００１１】
そこで、本願発明では、上述した課題を解決するために、蓄電池を不要とし、風力発電機により発生した電力を、系統電源へ直接供給する風力発電装置を提供することを目的とする。
【課題を解決するための手段】
【００１２】
本発明に係る風力発電装置は、上述の課題を解決するために、風車の回転により得られる動力で電力を発電する風力発電部と、風力発電部で発電された電力を交流電圧に変換する電圧変換部と、電圧変換部を系統電源側に接続する接続部と、風力発電部で発電された電力が第１の任意値以上のときに、第１の信号を生成し、生成した第１の信号を電圧変換部に供給する信号供給部と、系統電源により生じている交流電圧と、当該交流電圧に起因する周波数を検出し、検出した交流電圧と周波数に、電圧変換部により変換される交流電圧と、当該交流電圧に起因する周波数を同期させるための同期制御信号を生成し、生成した同期制御信号を電圧変換部に供給する同期部と、風力発電部で発電された電力に基づいて、位相を制御する位相制御信号を生成する位相制御信号生成部と、電圧変換部により変換された交流電圧に基づき、接続部を接続状態又は非接続状態に制御する接続制御部とを備え、信号供給部は、位相制御信号生成部により生成された位相信号に基づいて、生成した第１の信号を変調し、変調後の第１の信号を電圧変換部に供給し、電圧変換部は、信号供給部から供給された第１の信号に基づいて、風力発電部で発電された電力を交流電圧に変換する。
【発明の効果】
【００１３】
本発明では、風力発電部で発電される電圧値が一定になるように電圧変換部を位相制御し、また、電圧変換部で変換される交流電圧及び周波数を、時間的に変動する系統電源側の交流電圧と周波数に同期合わせを行うことにより、安定した交流電圧を系統電源側に供給することができる。
【発明を実施するための最良の形態】
【００１４】
以下、本発明の実施の形態としての風力発電装置について説明する。
【００１５】
風力発電装置１は、図１に示すように、風の流れを利用して風車を回し、その動力で電力Ｐを発電する風力発電部１０と、風力発電部１０により発電された電力Ｐから交流成分を除去する平滑回路（フィルタ）部１１と、平滑後の電力を交流電圧Ｅ２に変換する電圧変換部１２と、電圧変換部１２を系統電源側に接続する接続部１３と、風力発電部１０で発電された電力が第１の任意電圧値（以下、電圧Ｅｓという。）以上のときに、第１の信号（ゲート信号Ｓ１）を生成し、生成したゲート信号Ｓ１を電圧変換部１２に供給するゲート信号供給部１４と、系統電源により生じている交流電圧Ｅ１と、当該交流電圧Ｅ１に起因する周波数Ｆ１を検出し、検出した交流電圧Ｅ１と周波数Ｆ１に、電圧変換部１２により変換される交流電圧Ｅ２と、当該交流電圧Ｅ２に起因する周波数Ｆ２を同期させるための同期制御信号Ｓ２を生成し、生成した同期制御信号Ｓ２を電圧変換部１２に供給する同期合わせ部１５と、風力発電部１０で発電された電力Ｐに基づいて、位相を制御する位相制御信号Ｓ３を生成する位相制御信号生成部１６と、電圧変換部１２により変換された交流電圧Ｅ２に基づき、接続部１３を接続状態（ＯＮ）又は非接続状態（ＯＦＦ）に制御する接続制御部１７とを備える。
【００１６】
また、風力発電装置１は、系統電源により生じている交流電圧Ｅ１の異常を感知する感知部１８を備える。感知部１８は、交流電圧Ｅ１の異常を感知した場合、接続部１３を非接続状態に制御する。
【００１７】
また、風力発電装置１は、風力発電部１０で発電された電力が第２の任意電圧値に達しているかどうかを判断する接地判断部２０と、接地判断部２０により風力発電部１０で発電された電力が第２の任意電圧値に達していると判断した場合に、風力発電部１０で発電された電力を接地する接地部２１を備える。なお、本実施例では、風車の定格電圧が２４Ｖであり、出力電力が０Ｖ〜３０Ｖである風車を用いることとする。
【００１８】
接地判断部２０と接地部２１は、いわゆる風車の過回転を防止するための回路部を構成しており、風力発電部１０の風車が強風により過回転している場合に、得られる過電力により装置が破壊されてしまうのを防いでいる。
【００１９】
系統電源は、電圧と周波数が一定となるように制御されているが、実際には、電圧値と周波数が時間的に変動することが知られている。したがって、風力発電装置１から系統電源に供給される電力（電圧と、周波数）を系統電源側の変化に応じて適宜変化させる必要がある。そこで、本願発明では、風力発電装置１から出力される電圧と周波数を、時間的に変動する系統電源側の電力（電圧と、周波数）にマッチングさせるために同期合わせ部１５を備える。
【００２０】
また、風力発電部１０は、風の流れを利用して風車を回しているため、風力の変動に応じて発電する電力が変動してしまう。これでは、系統電源側に安定して電力の供給が行えなくなるので、電圧変換部１２の出力を安定させ、かつ系統電源側に電力を供給するためにゲート信号供給部１４及び位相制御信号生成部１６を備えている。以下に、各構成部の動作について詳述する。
【００２１】
まず、電圧変換部１２の構成及び動作について詳述する。電圧変換部１２は、図２に示すように、フィルタ部１１で平滑された直流電圧が入力され、任意の直流電圧に昇圧するＤＣ−ＤＣコンバータ２２と、ＤＣ−ＤＣコンバータで昇圧された直流電圧を任意の交流電圧に変換するＤＣ−ＡＣコンバータ２３とから構成されている。
【００２２】
ＤＣ−ＤＣコンバータ２２は、詳細は後述するゲート信号供給部１４から供給されるゲート信号Ｓ１に基づき、例えば、平滑後の直流電圧を１００Ｖの直流電圧に昇圧し、昇圧後の直流電圧をＤＣ−ＡＣコンバータ２３に供給する。
【００２３】
ＤＣ−ＡＣコンバータ２３は、ＤＣ−ＤＣコンバータ２２から供給された１００Ｖの直流電圧を１００Ｖの交流電圧に変換する。
【００２４】
また、電圧変換部１２により変換されて接続部１３に出力される交流電圧Ｅ２は、ゲート信号供給部１４から供給されるゲート信号Ｓ１に基づいて位相がシフトされ、また、同期合わせ部１５から供給される制御信号に基づいて電圧値及び周波数が適宜変調される。
【００２５】
つぎに、接続部１３について詳述する。接続部１３は、図１に示すように、接続制御部１７により接続状態（ＯＮ）又は非接続状態（ＯＦＦ）に制御されるスイッチ部２４と、スイッチ部２４が接続状態（ＯＮ）のときに、電圧変換部１２により変換された交流電圧Ｅ２を系統電源側に供給するためのプラグ部２５を備えている。また、ここで、プラグ部２５の構成について以下に述べる。汎用されている形状のプラグ部は、端子の金属部分が裸となっており、ユーザが感電する可能性がある。そこで、本願発明に係るプラグ部２５は、図３に示すように、ユーザに感電をさせないように、端子部をカバー２５ａにより覆う形状とする。端子部を覆っているカバー２５ａは、例えば、プラグ内部からスプリング等の弾性部材２５ｂによって固定されており、コンセントに差し込むときに、プラグ内部に引っ張り込まれ（押し込まれ）、端子部をコンセントに接触させる構造を成している。このような構造によって、プラグ部２５の端子部は、カバー２５ａによって保護されており、使用時（コンセントに接続される時）にのみ表出する構造である。さらに、カバー２５ａがスプリング等による構造であるため、コンセントから抜けかかっていても、端子部が表出することなく安全性を確保することができる。なお、図３（Ａ）は、コンセントに差し込まれる前のプラグ部２５を示し、図３（Ｂ）は、コンセントに差し込まれた後のプラグ部２５を示している。
【００２６】
また、接続制御部１３は、ゲート信号供給部１４からゲート信号Ｓ１が供給されず、交流電圧に変換されない場合（無風状態により風力発電部１０から全く電力が供給されない場合を含む）には、スイッチ部２０が非接続状態（ＯＦＦ）となるように制御する。
【００２７】
つぎに、ゲート信号出力部１４の構成について詳述する。ゲート信号出力部１４は、図４に示すように、風力発電部１０から供給された平滑後の電圧（直流）を測定し、測定した電圧が電圧Ｅｓに達しているかどうかを判断する判断部３０と、キャリア周波数を発生するキャリア周波数発生部３１と、出力指令部１５により制御される基準周波数を発生する基準周波数発生部３２と、キャリア周波数発生部３１により発生されたキャリア周波数と、基準周波数発生部３２により発生された基準周波数とによりＰＷＭ（Pulse Width Modulation）信号を生成し、判断部３０の判断に応じて、ＰＷＭ信号をゲート信号Ｓ１として電圧変換部１２に出力する出力部３３とを備える。
【００２８】
判断部３０は、例えば、電圧Ｅｓを１２Ｖとし、風力発電部１０から供給された平滑後の電圧が１２Ｖに達しているかどうかを判断する。判断部３０は、風力発電部１０から供給された平滑後の電圧が電圧Ｅｓに達していると判断した場合には、出力部３３に所定の信号を供給する。出力部３３は、判断部３０から所定の信号を受信した場合には、ゲート信号Ｓ１を電圧変換部１２に供給する。電圧変換部１２は、出力部３３から供給されるゲート信号Ｓ１に基づいて、風力発電部１０から供給された平滑後の電圧を交流電圧に変換し、系統電源へ出力する。なお、風力発電部１０から供給された平滑後の電圧Ｅが、電圧Ｅｓに達していない場合には、出力部３３から電圧変換部１２にゲート信号Ｓ１は供給されないため、電圧変換部１２から系統電源への電力の供給は行われない。
【００２９】
キャリア周波数発生部３１は、例えば、１５ｋＨｚのキャリア周波数を生成し、生成したキャリア周波数を出力部３３に供給する。
【００３０】
基準周波数発生部３２は、例えば、５０Ｈｚ又は６０Ｈｚの基準周波数を生成し、生成した基準周波数を出力部３３に供給する。また、基準周波数発生部３２は、詳細は後述するが、出力指令部１５から供給される制御信号に基づいて、基準周波数の位相をシフトし、シフト後の基準周波数を出力部３３に供給する。
【００３１】
出力部３３は、キャリア周波数発生部３１から供給されるキャリア周波数と、基準周波数発生部３２から供給される基準周波数に基づき、パルス幅を適宜変調されたＰＷＭ信号を生成し、生成したＰＷＭ信号をゲート信号Ｓ１として電圧変換部１２に供給する。なお、出力部３３は、変調するパスル幅を基準周波数発生部３２から供給される基準周波数の位相に応じて変調させる。
【００３２】
つぎに、同期合わせ部１５について説明する。同期合わせ部１５は、例えば、図１中Ａ点から電圧変換部１２から出力される交流電圧Ｅ２を検出し、図１中Ｂ点から系統電源側の交流電圧Ｅ１を検出する。そして、同期合わせ部１５は、系統電源側から検出した交流電圧Ｅ１と、交流電圧Ｅ１に起因する周波数Ｆ１に基づいて、電圧変換部１２から出力される交流電圧Ｅ２と、交流電圧Ｅ２に起因する周波数Ｆ２を同期させるための同期制御信号Ｓ２を生成し、電圧変換部１２に供給する。電圧変換部１２は、同期合わせ部１５から供給された同期制御信号Ｓ２に基づいて、交流電圧を変調し、変調後の交流電圧を出力する。このようにして、風力発電装置１は、系統電源に供給する交流電圧Ｅ２と、周波数Ｆ２を、系統電源側の交流電圧Ｅ１と、周波数Ｆ１にマッチングさせることができる。
【００３３】
つぎに、位相制御信号生成部１６について詳述する。位相制御信号生成部１６は、風力発電部１０で発電された平滑後の電力を測定し、測定した値に基づいて、電圧変換部１２から出力される交流電圧Ｅ２の位相角を所定量進めるための位相制御信号Ｓ３を生成する。ここで、位相制御信号生成部１６の動作について、図５に示すフローチャートを参照して説明する。
【００３４】
ステップＳＴ１において、位相制御信号生成部１６は、風力発電部１０から供給された平滑後の電圧（以下、電圧Ｅという。）が電圧Ｅｓ（例えば、１２Ｖ）以上かどうかを判断する。電圧Ｅが電圧Ｅｓ以上であると判断した場合（Ｙｅｓ）には、ステップＳＴ２に進み、電圧Ｅが電圧Ｅｓ以上ではないと判断した場合（Ｎｏ）には、電圧Ｅの測定を継続する。上述したように、電圧Ｅが電圧Ｅｓ以上の場合には、ゲート信号供給部１４からゲート信号Ｓ１が電圧変換部１２に供給され、電圧Ｅが交流電圧Ｅ２に変換され、接続部１３に供給される。また、同期合わせ部１５は、接続部１３に供給されている交流電圧Ｅ２を系統電源側の交流電圧Ｅ１に同期させるための同期制御信号Ｓ２を生成し、電圧変換部１２に出力する。一方、電圧Ｅが電圧Ｅｓ以上ではない場合には、ゲート信号供給部１４からゲート信号Ｓ１が電圧変換部１２に供給されず、電圧Ｅが交流電圧Ｅ２に変換されない。
【００３５】
ステップＳＴ２において、位相制御信号生成部１６は、電圧Ｅが電圧Ｅｐ（例えば、２４Ｖ）以上かどうかを判断する。電圧Ｅが電圧Ｅｐ以上ではない、すなわち電圧Ｅが１２Ｖ〜２４Ｖの間であると判断した場合（Ｎｏ）には、ステップＳＴ３の工程に進み、電圧Ｅが電圧Ｅｐ以上である、すなわち電圧Ｅが２４Ｖ以上であると判断した場合（Ｙｅｓ）には、ステップＳＴ７の工程に進む。
【００３６】
ステップＳＴ３において、位相制御信号生成部１６は、位相角を数％進める位相制御信号Ｓ３を生成し、生成した位相制御信号Ｓ３をゲート信号供給部１４の基準周波数発生部３２に供給する。基準周波数発生部３２は、供給された位相制御信号Ｓ３に基づいて、基準周波数の位相角を所定量シフトし、シフト後の基準周波数を出力部３３に供給する。
【００３７】
ステップＳＴ４において、位相制御信号生成部１６は、電圧Ｅが上昇したか又は下降したかを判断する。電圧Ｅが上昇したと判断した場合（Ｙｅｓ）には、ステップＳＴ５に進み、電圧Ｅが下降したと判断した場合（Ｎｏ）には、ステップＳＴ６に進む。
【００３８】
ステップＳＴ５において、位相制御信号生成部１６は、上昇した電圧Ｅが電圧Ｅｐに達したかどうかを判断する。上昇した電圧Ｅが電圧Ｅｐに達していると判断した場合（Ｙｅｓ）には、ステップＳＴ７の工程に進み、上昇した電圧Ｅが電圧Ｅｐに達していないと判断した場合（Ｎｏ）には、ステップＳＴ３の工程に戻る。ステップＳＴ３の工程に戻った場合には、位相制御信号生成部１６は、さらに位相角を所定量シフトする位相制御信号Ｓ３を生成し、生成した位相制御信号Ｓ３を基準周波数発生部３２に供給する。
【００３９】
ステップＳＴ６において、位相制御信号生成部１６は、ステップＳＴ３の工程で生成した位相角を数％進める位相制御信号Ｓ３に基づき、当該位相制御信号Ｓ３よりも位相角の進みを減少させた位相制御信号Ｓ３を生成し、生成した位相制御信号Ｓ３を基準周波数発生部３２に供給する。そして、ステップＳＴ４の工程に戻る。
【００４０】
一方、ステップＳＴ７において、位相制御信号生成部１６は、電圧Ｅが電圧Ｅｐと同じかどうかを判断する。電圧Ｅが電圧Ｅｐと同じであると判断した場合（Ｙｅｓ）、すなわち電圧Ｅが２４Ｖであると判断した場合には、ステップＳＴ８に進み、電圧Ｅが電圧Ｅｐと同じではないと判断した場合（Ｎｏ）、すなわち電圧Ｅが２４Ｖ以上であると判断した場合には、ステップＳＴ９に進む。
【００４１】
ステップＳＴ８において、位相制御信号生成部１６は、電圧Ｅが２４Ｖを維持するように所定の位相角の位相制御信号Ｓ３を生成し、生成した位相制御信号Ｓ３を基準周波数発生部３２に供給する。
【００４２】
また、ステップＳＴ９において、位相制御信号生成部１６は、電圧Ｅを２４Ｖに下降するように位相角を進める位相制御信号Ｓ３を生成し、生成した位相制御信号Ｓ３を基準周波数発生部３２に供給する。
【００４３】
また、接地判断部２０は、第２の任意電圧値を３０Ｖに設定しており、電圧Ｅが３０Ｖに達したと判断した場合、接地部２１により接地処理を行う。なお、接地判断部２０は、第２の任意電圧値を３０Ｖ以下又は以上に設定しても良い。
【００４４】
したがって、風力発電装置１では、風力発電部１０から供給された電圧Ｅが０Ｖ〜１２Ｖ付近のときには、ゲート信号供給部１４からゲート信号Ｓ１が電圧変換部１２に供給されないため系統電源側には交流電圧Ｅ２の供給が行われず、また、電圧Ｅが１２Ｖ〜２９Ｖの場合に、位相制御信号生成部１６と、ゲート信号供給部１４と、同期合わせ部１５との協調により、電圧変換部１２に供給される電圧Ｅが２４Ｖになるように制御しながら、系統電源側に位相制御された交流電圧Ｅ２を供給し、さらに、電圧Ｅが３０Ｖ以上になった場合に、接地判断部２０と接地部２１の協調により、接地回路が作動する構成になっている。
【００４５】
このように構成される本願発明によれば、風力発電部１０により電力が発電され、発電された電力（直流電圧）の電力値に応じて位相制御信号生成部１６により位相制御信号Ｓ３を生成し、また、系統電源側の交流電圧Ｅ１と周波数Ｆ１に基づき同期合わせ部１５により同期制御信号Ｓ２を生成し、位相制御信号Ｓ３と同期制御信号Ｓ２に基づいて風力発電部１０から供給される電力を所定の交流電圧Ｅ２に変換し、変換した交流電圧Ｅ２を接続部１３を介して系統電源に供給する。したがって、本願発明は、風力発電部１０で発電される電圧値が一定になるように電圧変換部１２を位相制御し、また、電圧変換部１２で変換される交流電圧Ｅ２及び周波数Ｆ２を、時間的に変動する系統電源側の交流電圧Ｅ１と周波数Ｆ１に同期合わせを行うことにより、安定した交流電圧Ｅ２を系統電源側に供給することができる。また、本願発明は、交流電圧Ｅ２の位相を系統電源側の交流電圧Ｅ１よりも進ませることにより、系統電源内の機器に、交流電圧Ｅ２を優先的に使用させることができ、系統電源に供給された交流電圧Ｅ２分の電力消費を系統電源側で低減させることができる。
【００４６】
また、本願発明は、風力発電部１０にかかる風力に変動が生じても、系統電源側に供給される交流電圧Ｅ２の変動は起こさないので、蓄電池の設置は不要となる。また、本願発明は、部品点数が従来のものよりも少ないため、設置が容易である。
【００４７】
また、本願発明は、系統電源側に複数のコンセントがあれば、それぞれに風力発電装置１を接続することにより、容易に並列増設をすることができる。
【００４８】
なお、本発明は、図面を参照して説明した上述の実施例に限定されるものではなく、添付の請求の範囲及びその主旨を逸脱することなく、様々な変更、置換又はその同等のものを行うことができることは勿論である。
【図面の簡単な説明】
【００４９】
【図１】本発明に係る風力発電装置の構成を示すブロック図である。
【図２】図１に示す風力発電装置に備えられている電圧変換部の構成を示すブロック図である。
【図３】図１に示す風力発電装置に備えられている接続部のプラグの構成例を示す模式図である。
【図４】図１に示す風力発電装置に備えられているゲート信号供給部の構成を示すブロック図である。
【図５】位相制御信号生成部の動作についての説明に供するフローチャートである。
【図６】従来の風力発電装置の構成を示すブロック図である。
【符号の説明】
【００５０】
１  風力発電装置、１０  風力発電部、１１  平滑回路（フィルタ）部、１２  電圧変換部、１３  接続部、１４  ゲート信号供給部、１５  同期合わせ部、１６  位相制御信号生成部、１７  接続制御部、１８  感知部、２０  接地判断部、２１  接地部、２２  ＤＣ−ＤＣコンバータ、２３  ＤＣ−ＡＣコンバータ、２４  スイッチ部、２５  プラグ部、３０  判断部、３１  キャリア周波数発生部、３２  基準周波数発生部、３３  出力部
【図１】
2006246661.tif 000003
【図２】
2006246661.tif 000004
【図３】
2006246661.tif 000005
【図４】
2006246661.tif 000006
【図５】
2006246661.tif 000007
【図６】
2006246661.tif 000008